(57)【要約】【課題】  カートリッジケース内に収納されるディスクスタックの回転支持構造を少ない部品数で実現する。【解決手段】  複数の磁気ディスクメディア４１を積層して構成されたディスクスタック上のスペーサ４３’の内周面に等間隔に三つの切欠部４３ｇが形成されている。回転支持部材４４の係合部４６ａに切欠部４３ｇと対応の突起４６ｄが形成されている。センタプレート４７は、カートリッジケース２の内部に固定されている。回転支持部材４４は、係合部４６ａでスペーサ４３’に係合され、接触部４５でセンタプレート４７に支持されながら、板バネ部４６ｂの弾性変形で、スペーサ４３’に付勢力を発生させる。【選択図】      図７
2006065954.tif 000002
【特許請求の範囲】
【請求項１】
フレキシブルな複数の記録ディスクメディアと、
これらの記録ディスクメディアを一体に回転させるために記録ディスクメディアを保持する回転体と、
前記記録ディスクメディアおよび前記回転体を回転可能に収容するとともに、前記回転体の一端を外部に露出させるための開口部を有したカートリッジケースとを備える記録ディスクカートリッジであって、
前記カートリッジケースと前記回転体の他端との間に前記回転体を前記開部側に付勢する回転支持部材を設け、
前記回転支持部材は、前記カートリッジケースに点接触する接触部と、
前記回転体の他端側に係合する係合部と、
前記接触部と前記係合部とを互いに離れる方向に付勢するバネ部とを一体にしたことを特徴とする記録ディスクカートリッジ。
【請求項２】
請求項１に記載の記録ディスクカートリッジであって、
前記接触部は球面状の突起であり、
前記係合部は前記接触部を中心とした円状に形成されていることを特徴とする記録ディスクカートリッジ。
【請求項３】
請求項１または請求項２に記載の記録ディスクカートリッジであって、
前記回転体は、各記録ディスクメディアの中央に固着されたセンタコアを備え、各センタコアに連結部材が配され、センタコアと連結部材とが交互に積層されて回転方向において一体となって回転可能に構成され、
前記回転支持部材の係合部は、前記回転体の他端側に位置する連結部材に係合されていることを特徴とする記録ディスクカートリッジ。
【請求項４】
請求項３に記載の記録ディスクカートリッジであって、
前記連結部材に貫通孔が形成され、前記貫通孔の内周面の円周方向に段差付の切欠部が形成され、前記係合部の外周面には前記切欠部と対応した突起が形成され、前記突起と前記切欠部との係合で、前記係合部が前記連結部材に係合されることを特徴とする記録ディスクカートリッジ。
【請求項５】
請求項３に記載の記録ディスクカートリッジであって、
前記連結部材に貫通孔が形成され、前記貫通孔の内周面の円周方向に段差部および突出部が形成され、前記係合部の外周面には前記突出部と対応する切欠部が形成され、前記突出部と前記切欠部との係合で、前記係合部が前記連結部材に係合されることを特徴とする記録ディスクカートリッジ。
【請求項６】
請求項１から請求項５のいずれか1項に記載の記録ディスクカートリッジであって、
前記接触部は、耐摩耗性材料で構成されていることを特徴とする記録ディスクカートリッジ。
【請求項７】
請求項６に記載の記録ディスクカートリッジであって、
前記接触部は、前記バネ部とは別材料で構成され、前記バネ部と一体に形成された支持部に固着されて形成されることを特徴とする記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。この技術では、複数枚の磁気ディスクメディアをその中心孔側から一体に支持するセンタコアの一端を、磁気ディスクドライブのスピンドルで磁気的に吸着することで各磁気ディスクメディアを同時に回転させる構造であるため、同時に回転する複数枚の磁気ディスクメディアに複数の磁気ヘッドをそれぞれ別々にアクセスさせることによって、データの転送速度の向上を図っている。
【特許文献１】特開２００４−２２０１１号公報
【発明の開示】
【発明が解決しようとする課題】
【０００４】
しかしながら、前記した特許文献１の磁気ディスクカートリッジでは、センタコアの一端を磁気ディスクドライブのスピンドルに磁気的に吸着させるだけの構造であるため、磁気ディスクメディアの枚数を増やすことによりその軸方向における長さが大きくなると、その回転動作が不安定になるといった問題があった。
【０００５】
そこで、本発明は、記録ディスクメディアの枚数を増やしたとしても、記録ディスクメディアの回転を安定化させることができ、かつ少ない部品数でその支持構造を実現できるディスクカートリッジを提供することを目的とする。
【課題を解決するための手段】
【０００６】
前記した課題を解決するため、本発明の記録ディスクカートリッジは、複数の記録ディスクメディアと、これらの記録ディスクメディアを保持する回転体と、記録ディスクメディアおよび回転体を回転可能に収容するカートリッジケースを備えて、カートリッジケースと回転体の間には、回転体をカートリッジケース側に付勢する回転支持部材が設けられ、回転支持部材は、カートリッジケースに点接触する接触部と、回転体の他端側に係合する係合部と、接触部と前記係合部とを互いに離れる方向に付勢するバネ部とを一体にした構成を有する。
【０００７】
このような構成により、回転支持部材の付勢力で、記録ディスクメディアを保持した回転体がカートリッジケースの開口部側に押し付けられているので、回転体や記録ディスクメディアなどがカートリッジケースの中でがたつくことはない。また、回転時には、回転支持部材の接触部がカートリッジケースと点接触するので、回転に伴って接触部で発生する摩擦力を小さく抑えることができ、記録ディスクおよび回転体の回転動作を安定化させることができる。
【０００８】
前記した記録ディスクカートリッジにおいては、回転支持部材の接触部を球面状の突起とし、回転体と係合する係合部を、接触部を中心とした円状に形成することができる。
この場合、回転支持部材により回転体に均等な付勢力を発生させることができ、記録ディスクおよび回転体が安定して回転することができる。
【０００９】
回転体は、例えば各記録ディスクメディアの中央に固着されたセンタコアに連結部材を配し、センタコアと連結部材とを交互に積層して構成することができる。この場合、回転支持部材の係合部を回転体の他端側に位置する連結部材に係合させて回転体と連結することが望ましい。
係合部と連結部材の係合においては、連結部材に形成された貫通孔の内周面の円周方向に例えば等間隔に複数の段差付の切欠部を形成し、係合部の外周面には切欠部と対応した突起を形成して、突起と切欠部との係合で、回転支持部材を回転体に連結させることができる。
また、前記とは逆に、連結部材に形成された貫通孔の内周面の円周方向に例えば等間隔に複数の突出部と段差部を形成し、係合部の外周面には突出部と対応する切欠部を形成して、突出部と切欠部との係合で回転支持部材を回転体に連結させることもできる。
【００１０】
回転支持部材の接触部は、耐摩耗性材料を用いて形成することが望ましい。
また、接触部とバネ作用を果たすバネ部とは別材料で構成することもできる。接触部とバネ部は別材料で構成されることにより、長期に亘って回転体に安定した付勢力を発生させて回転体を支持することができ、より信頼性の高い記録ディスクカートリッジを得ることができる。
【発明の効果】
【００１１】
本発明によれば、記録ディスクメディアの枚数を増やしても、回転体が安定して回転することができ、また、回転体に付勢力を発生する回転支持部材は、接触部と係合部とバネ部を一体にした構成となっているため、回転体の支持構造は極めて簡素に構成することができ、少ない部品数で、回転体を安定して回転支持することができる。その結果、記録ディスクカートリッジ全体の部品数の減少と生産性および組立性の向上に寄与し、記録ディスクカートリッジの製造コストを低下させることができる。
【発明を実施するための最良の形態】
【００１２】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図であり、図６は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１３】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３,スペーサ４３’（連結部材）により係合して５枚の磁気ディスクメディア４１（この積層・一体化された磁気ディスクメディア４１をディスクスタック４０とする）を一体に回転するようになっている。
【００１４】
各インナプレート２０は、平板状の主プレート２１の外周縁に上下のプレートと当接するリブ２２が形成されている。インナプレート２０の図１における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００１５】
この開口部３は、ディスクスタック４０と同軸に回動するシャッタ４により開閉される。シャッタ４は、図１に示すように下ロータ５１と上ロータ５２とを組み合わせることにより構成されている。
【００１６】
次に、各部材についてより詳細に説明する。
下プレート１０は、主として略正方形の主プレート１１の外周縁に、インナプレート２０のリブ２２の下面側と当接するリブ１２と、側壁１３が形成されて構成されている。側壁１３は、主プレート１１の１つの角（図１においては手前側の角）から所定の範囲、例えば一辺の３分の１程度の範囲に立設されており、およそインナプレート２０を積み重ねた高さで形成されている。
【００１７】
主プレート１１の側壁１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図１における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印Ａｒで示す方向へ進入して開口１５へ入り込む通路となっている。
【００１８】
前記したリブ１２は、主プレート１１の外周縁のうち、側壁１３、開口１４，１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００１９】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００２０】
上プレート３０は、下プレート１０とおよそ対称の形状に形成されている。図３に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、主プレート３１の中央に開口は形成されず、側壁１３に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００２１】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、リブ１７に外嵌する円形に形成され、切欠５１ｅは、凹部１４ａに対応する扇形に形成される。また、リブ５１ｄは、下ロータ支持溝１８に対応して下ロータプレート５１ａの下面の外周縁に下方に向けて設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に亘って形成されている。
【００２２】
上ロータ５２は、下ロータ５１とおよそ対称の形状に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００２３】
図５に示す拡大断面図のように、下ロータ５１の上面、インナプレート２０の上下の両面、および上ロータ５２の下面は、磁気ディスクメディア４１と対向する面において、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。
【００２４】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００２５】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００２６】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００２７】
次に、磁気ディスクメディア４１およびその積層構造について説明する。
磁気ディスクメディア４１は、例えばポリエステルなどの樹脂シートに磁性塗料を両面に塗布したものである。
【００２８】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００２９】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００３０】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
最上層のセンタコア４２は、上側に回転係止すべきセンタコアが無いため、その上には下側にのみピン４３ｂを突出させた、厚みの薄い端面のスペーサ４３’が配置される。
【００３１】
ディスクスタック４０は以上のように、磁気ディスクメディア４１に固着された各センタコア４２にセンタコア４２同士を係止するためのスペーサ４３、４３’が配され、センタコア４２とスペーサ４３、４３’とを交互に積層して構成され、回転方向においてセンタコア４２、スペーサ４３、４３’が一体となって回転可能にカートリッジケース２内に収納されている。
センタコア４２、スペーサ４３、４３’は磁気ディスクメディア４１を保持する回転体を構成し、このとき、回転体の一端側にカートリッジケース２の開口部１６に露出するセンタコア４２が位置し、他端側には端面のスペーサ４３’が位置することになる。
スペーサ４３’とカートリッジケース２の間に回転支持部材４４が設けられ、回転支持部材４４でディスクスタック４０がカートリッジケース２の開口部１６側に付勢されて回転支持されている。
【００３２】
次に、図に基づいて本発明に係るディスクスタック４０の回転支持構造について説明する。
図７は、回転支持部材近傍の構造を示す分解斜視図である。
スペーサ４３’は、前記したようにディスクスタック４０の端面に位置するスペーサで、三つのピン４３ｂでその下方のセンタコア４２（図６参照）と係合されて、ディスクスタック４０と一体で回転可能になっている。
回転支持部材４４は、一枚の板を膨出加工された板バネ部材４６に球面状の接触部４５を取り付けて構成されたものである。
センタプレート４７は、カートリッジケース２を構成する上プレート３０の内面の中心、つまり、リブ３７の内側の平面部分に貼り付けられた滑り部材である。例えば、ポリオキシメチレン樹脂、超高分子量ポリエチレンなどの滑り性と耐摩耗性に優れた材料から構成することができる。
【００３３】
スペーサ４３’は中央に貫通孔が形成されたリング状の部材で、その内周面の円周方向に等間隔に三つの切欠部４３ｇが形成されている。切欠部４３ｇは半円の形状で、スペーサ４３’の上端面から下方に向けて一定の深さまで形成されている。なお、切欠部４３ｇとピン４３ｂとは円周方向において図示のように位置をずらすことが望ましい。
回転支持部材４４は、板バネ部材４６の中央の支持部４６ｃに接触部４５を固着して構成されている。板バネ部材４６は、一枚のバネ材料の板を膨出加工して形成され、スペーサ４３’の貫通孔と対応する円形の係合部４６ａと、係合部４６ａから膨出させた板バネ部４６ｂと、板バネ部４６ｂの中央をさらに膨出させた支持部４６ｃとからなっている。
係合部４６ａの外周面には、スペーサ４３’の内周面に形成された切欠部４３ｇと対応する三つの突起４６ｄが形成されている。
板バネ部４６ｂは、係合部４６ａとは三つのステイ４６ｅで連結され、支持部４６ｃとは三つのステイ４６ｆで連結され、かつステイ４６ｅとステイ４６ｆとは、円周方向に位置をずらしているので、接触部４５から力を加えると、ステイ４６ｅとステイ４６ｆの間の部分が撓み、接触部４５が弾性変位することができる。支持部４６ｃすなわち接触部４５の中心と係合部４６ａの中心は同じである。したがって、接触部４５からの力を三つの突起４６ｄで均等に受けることができ、この結果、接触部４５が軸方向にのみ変位することになるとともに、接触部４５からの力を均等にスペーサ４３’に伝えることができる。
接触部４５と支持部４６ｃの固着は、例えば接着材を使用して接着させることができる。このほか、粘着または圧入などの固着手段を用いて固着することもできる。
【００３４】
このように形成された回転支持部材４４は、係合部４６ａの突起４６ｄをスペーサ４３’の切欠部４３ｇに係合させてスペーサ４３’に装着すると、回転支持部材４４が回転方向において、ディスクスタック４０と一体となって回転することができ、軸方向においては切欠部４３ｇの段差部でディスクスタック４０に付勢力を発生させることができる。
【００３５】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、回転支持部材４４の付勢力に抗してセンタコア４２を若干持ち上げるので、図４、図５に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００３６】
磁気ディスクドライブの駆動でディスクスタック４０が回転時に、回転支持部材４４は、接触部４５でカートリッジケース２に固定されたセンタプレート４７に支持されるため、回転時の摩擦力を抑え、円滑な回転動作を得ることができる。また、回転時の摩擦力が接触部４５を回転中心に摺動させる効果があるので、接触部４５が回転中心外に位置しても、回転に伴って回転中心に摺動して回転中心付近で回転することになるため、ディスクスタック４０が安定した回転動作をすることになる。このとき、接触部４５が球面状のため、その摺動が円滑に行われ、短時間で安定した回転を行うことができる。
【００３７】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００３８】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
このとき、ライナ４９が適宜磁気ディスクメディア４１に触れることで磁気ディスクメディア４１上の塵埃が除去される。
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
磁気ディスクドライブから取り外すと、回転支持部材４４の付勢力で、ディスクスタック４０がカートリッジケース２に付勢されるので、ディスクスタック４０がカートリッジケース２内でがたつくこともない。
【００３９】
このように磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
特に、磁気ディスクメディア４１の枚数を大きく増やしても、前記した支持構造によれば安定して回転をさせることができるので、回転時の安定性を損なわずに大容量の磁気ディスクカートリッジ１を得ることができる。
【００４０】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
また、ディスクスタック４０の支持構造として、例えば図８に示すようにセンタコア４２の中央にさらに連結軸４８を設けて、回転時に積層されたセンタコア４２の相互間の中心の振れを少なくすることもできる。連結軸４８は、例えば図示のように上端面にフランジ４８ａを形成し、フランジ４８ａの外周面を回転支持部材４４の係合部４６ａと同じ形状にすることによって、回転支持部材４４と同様にスペーサ４３’に係合させることができる。
また、板バネ部材としても、例えば図９に示すように接触部４５が固着される支持部４９ｃと係合部４９ａの間の板バネ部４９ｂをバネだけで構成される簡素な構成にすることもできる。
さらに、板バネ部材とスペーサの係合については、例えば図１０に示すように、実施の形態とは逆に板バネ部材４６’の係合部４６ａの外周面に等間隔に三つの半円状の切欠部４６ｇを形成し、スペーサ４３”の内周面に切欠部４６ｇと対応する突出部４３ｅを形成するとともに、突出部４３ｅの下側に係合部４６ａを受ける段差部４３ｆを形成し、切欠部４６ｇを突出部４３ｅに係合させることにより、回転支持部材４４をスペーサ４３”に連結させることもできる。
さらに、板バネ部材４６、４９の代わりに例えば図１１に示すような円錐圧縮コイルバネ５０を使用しても構わない。この場合、スペーサ４３”内周面に段差部４３ｆを形成し、円錐圧縮コイルバネ５０を受けるようにする。円錐圧縮コイルバネ５０には、前記したように係合のための突起または切欠部を形成することが困難なため、例えば、円錐圧縮コイルバネ５０の大径部を大きく形成し、弾性変形による弾性力でスペーサ４３”の段差部４３ｆに係合させることができる。
【図面の簡単な説明】
【００４１】
【図１】一実施形態に係る磁気ディスクカートリッジの分解斜視図である。
【図２】一実施形態に係る磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ａ）におけるIV−IV断面図である。
【図５】図４の部分拡大図である。
【図６】磁気ディスクメディアの積層構造を示す分解斜視図である。
【図７】回転支持部材近傍の構造を示す分解斜視図である。
【図８】支持軸を設けた支持構造を示す断面図である。
【図９】別の形状の板バネ部材を示す図である。
【図１０】別の係合の方法を用いた場合の回転支持部材近傍の構造を示す分解斜視図である。
【図１１】板バネ部材の代わりに円錐圧縮コイルバネを用いた場合の回転支持部材近傍の構造を示す分解斜視図である。
【符号の説明】
【００４２】
１      磁気ディスクカートリッジ
２      カートリッジケース
３      開口部
４      シャッタ
１０    下プレート
２０    インナプレート
２３    切欠
３０    上プレート
３４    開口
４０    ディスクスタック
４１    磁気ディスクメディア
４２    センタコア
４３    スペーサ
４３ｆ      段差部
４４    回転支持部材
４５    接触部
４６    板バネ部材
４７    センタプレート
４８    連結軸
４９    ライナ
５０    竹の子バネ
５１    下ロータ
５２    上ロータ
６１    アクチュエータ
６２    スイングアーム
６３    磁気ヘッド
６５    スピンドル
【図１】
2006065954.tif 000003
【図２】
2006065954.tif 000004
【図３】
2006065954.tif 000005
【図４】
2006065954.tif 000006
【図５】
2006065954.tif 000007
【図６】
2006065954.tif 000008
【図７】
2006065954.tif 000009
【図８】
2006065954.tif 000010
【図９】
2006065954.tif 000011
【図１０】
2006065954.tif 000012
【図１１】
2006065954.tif 000013